(57)【要約】【課題】室内機のための電源供給の準備が整う前であっても、室内機のアドレス設定が可能な情報設定システムを提供する。【解決手段】本発明の一態様に係る、空気調和装置に対して情報設定を行う情報設定システムは、電源ポートと、通信ポートと、電源ポートおよび通信ポートと接続された制御装置とを備えた空気調和装置の室内機と、電源ポートと、通信ポートと、バッテリとを備えた書き込み装置と、を備える。書き込み装置は、室内機の電源ポートを書き込み装置の電源ポートと接続して、バッテリから制御装置へ給電し、該室内機の通信ポートを書き込み装置の通信ポートと接続して、書き込み装置から制御装置へ設定情報を転送する。【選択図】図２
2020051688.tif 000002
【特許請求の範囲】
【請求項１】
空気調和装置に対して情報設定を行う情報設定システムであって、
電源ポートと、通信ポートと、前記電源ポートおよび前記通信ポートと接続された制御装置とを備えた前記空気調和装置の室内機と、
電源ポートと、通信ポートと、バッテリとを備えた書き込み装置と、
を備え、
前記書き込み装置は、
前記室内機の前記電源ポートを前記書き込み装置の前記電源ポートと接続して、前記バッテリから前記制御装置へ給電し、
前記室内機の前記通信ポートを前記書き込み装置の前記通信ポートと接続して、前記書き込み装置から前記制御装置へ設定情報を転送する、
情報設定システム。
【請求項２】
前記室内機の電源ポートおよび前記書き込み装置の電源ポートの間と、前記室内機の通信ポートおよび前記書き込み装置の通信ポートの間とのうち、少なくとも一方に中間コネクタを備える、請求項１に記載の情報設定システム。
【請求項３】
前記制御装置は、自装置が備える記憶部に前記設定情報を記録する、
請求項１または請求項２に記載の情報設定システム。
【請求項４】
前記制御装置は、自装置が備える記憶部とは異なる外部に設けられた記憶部に前記設定情報を記録する、
請求項１または請求項２に記載の情報設定システム。
【請求項５】
前記空気調和装置は、複数の前記室内機を備え、
前記書き込み装置は、前記複数の前記室内機のそれぞれについて、該室内機に設定するアドレス情報を転送する、
請求項１から請求項４の何れか１項に記載の情報設定システム。
【請求項６】
空気調和装置に対して情報設定を行う情報設定方法であって、
前記空気調和装置の室内機が備える電源ポートと書き込み装置が備える電源ポートとの接続を介して、前記書き込み装置内のバッテリから前記室内機内の制御装置へ給電するステップと、
前記室内機が備える通信ポートと前記書き込み装置が備える通信ポートとの接続を介して、前記書き込み装置から前記室内機内の前記制御装置へ設定情報を転送するステップと
を含む、情報設定方法。
【請求項７】
第１の電源ポートと、第１の通信ポートと、バッテリとを備え、
前記第１の通信ポートが室内機の制御装置が備える第２の通信ポートと接続され、かつ前記第１の電源ポートが前記室内機の制御装置が備える第２の電源ポートと接続される場合に、
前記第１の電源ポートを介して前記室内機の制御装置へ前記バッテリの電力を給電し、
前記第１の通信ポートを介して前記室内機の制御装置へ設定情報を転送する、
書き込み装置。
【請求項８】
空気調和装置に対して情報設定を行うためのプログラムであって、
書き込み装置のコンピュータに、
前記空気調和装置の室内機の電源ポートと前記書き込み装置の電源ポートとの接続を介して、前記書き込み装置内のバッテリから前記室内機内の制御装置へ給電するステップと、
前記室内機の通信ポートと前記書き込み装置の通信ポートとの接続を介して、前記書き込み装置から前記室内機内の前記制御装置へ設定情報を転送するステップと、
を実行させるプログラム。
【発明の詳細な説明】
【技術分野】
【０００１】
本発明は、空気調和装置に対して情報設定を行う情報設定システム、情報設定方法、書き込み装置およびプログラムに関する。
【背景技術】
【０００２】
１台の室外機が複数台の室内機に接続されるビルマルチエアコンシステムでは、個々の室内機を識別するために、室内機の据え付け時にそれぞれ異なるアドレスを割り当てることが一般的に行われている。従来、室内機へのアドレス設定には、室内機に有線接続されたリモコンによって行う方法や、室内機の基板上に物理的なスイッチを設けて、据え付け時にこれを用いてアドレス設定する方法が採用されている。
室内機に有線接続されたリモコンによって室内機のアドレス設定を行う場合には、通常リモコンは室内機から電力が供給されるため、給電設備が整った後でなければアドレス設定を行うことができない。このような課題を解決するために、例えば、有線接続される前のリモコンに近距離通信(NFC: Near Field Communication)で予めアドレス設定を行い、アドレス設定が行われたリモコンを室内機に有線接続する方法が提案されている（特許文献１参照）。特許文献１の方法であれば、給電設備が整う前であってもリモコンの設定を行うことができる。
【先行技術文献】
【特許文献】
【０００３】
【特許文献１】特開２０１６−１９４４０２号公報
【発明の概要】
【発明が解決しようとする課題】
【０００４】
一方で、上記の方法では、室内機へ給電する環境が整っていなければ、室内機へのアドレス設定を行うことができない。特許文献１に記載の方法であっても、給電設備が整う前にリモコンへの設定は可能になっても室内機に設定情報を書き込むときには室内機への給電設備が必要である。また、リモコンによってアドレス設定を行う方法の場合、有線接続される物理的なリモコンを用意する必要があるという不便さがあり、また、室内機の基板上に物理的なスイッチを設ける方法の場合、コストの増大や基板面積が大型化するという課題がある。
【０００５】
本発明は、上記課題に鑑みてなされたものであって、その目的は、室内機のための電源供給の準備が整う前であっても、室内機のアドレス設定を可能とする情報設定システム、情報設定方法、書き込み装置およびプログラムを提供することにある。
【課題を解決するための手段】
【０００６】
本発明の一態様によれば、空気調和装置に対して情報設定を行う情報設定システムであって、情報設定システムは、電源ポートと、通信ポートと、前記電源ポートおよび前記通信ポートと接続された制御装置とを備えた前記空気調和装置の室内機と、電源ポートと、通信ポートと、バッテリとを備えた書き込み装置と、を備え、前記書き込み装置は、前記室内機の前記電源ポートを前記書き込み装置の前記電源ポートと接続して、前記バッテリから前記制御装置へ給電し、前記室内機の前記通信ポートを前記書き込み装置の前記通信ポートと接続して、前記書き込み装置から前記制御装置へ設定情報を転送する。
【０００７】
また、本発明の一態様によれば、前記情報設定システムは、前記室内機の電源ポートおよび前記書き込み装置の電源ポートの間と、前記室内機の通信ポートおよび前記書き込み装置の通信ポートの間とのうち、少なくとも一方に中間コネクタを備える。
【０００８】
また、本発明の一態様によれば、前記制御装置は、自装置が備える記憶部に前記設定情報を記録する。
【０００９】
また、本発明の一態様によれば、前記制御装置は、自装置が備える記憶部とは異なる外部に設けられた記憶部に前記設定情報を記録する。
【００１０】
また、本発明の一態様によれば、前記空気調和装置は、複数の前記室内機を備え、前記書き込み装置は、前記複数の前記室内機のそれぞれについて、該室内機に設定するアドレス情報を転送する。
【００１１】
また、本発明の一態様によれば、空気調和装置に対して情報設定を行う情報設定方法であって、情報設定方法は、前記空気調和装置の室内機が備える電源ポートと書き込み装置が備える電源ポートとの接続を介して、前記書き込み装置内のバッテリから前記室内機内の制御装置へ給電するステップと、前記室内機が備える通信ポートと前記書き込み装置が備える通信ポートとの接続を介して、前記書き込み装置から前記室内機内の前記制御装置へ設定情報を転送するステップとを含む。
【００１２】
また、本発明の一態様によれば、書き込み装置は、第１の電源ポートと、第１の通信ポートと、バッテリとを備え、前記第１の通信ポートが室内機の制御装置が備える第２の通信ポートと接続され、かつ前記第１の電源ポートが前記室内機の制御装置が備える第２の電源ポートと接続される場合に、前記第１の電源ポートを介して前記室内機の制御装置へ前記バッテリの電力を給電し、前記第１の通信ポートを介して前記室内機の制御装置へ設定情報を転送する。
【００１３】
また、本発明の一態様によれば、空気調和装置に対して情報設定を行うためのプログラムは、書き込み装置のコンピュータに、前記空気調和装置の室内機の電源ポートと前記書き込み装置の電源ポートとの接続を介して、前記書き込み装置内のバッテリから前記室内機内の制御装置へ給電するステップと、前記室内機の通信ポートと前記書き込み装置の通信ポートとの接続を介して、前記書き込み装置から前記室内機内の前記制御装置へ設定情報を転送するステップと、を実行させる。
【発明の効果】
【００１４】
上述の情報設定システム、情報設定方法、書き込み装置およびプログラムによれば、室内機のための電源供給の準備が整う前であっても、室内機のアドレス設定が可能となる。
【図面の簡単な説明】
【００１５】
【図１】一実施形態に係る情報設定システム２を適用する空気調和装置１の一例を示す図である。
【図２】一実施形態に係る情報設定システム２の一例を示す第１の機能ブロック図である。
【図３】一実施形態に係る情報設定システム２の一例を示す第２の機能ブロック図である。
【図４】一実施形態に係る情報設定システム２の一例を示す第３の機能ブロック図である。
【図５】一実施形態に係る情報設定システム２の一例を示す第４の機能ブロック図である。
【図６】一実施形態において、空気調和装置に対して情報設定を行うための処理フローの一例を示す図である。
【図７】一実施形態における書き込み装置のハードウェア構成の一例を示す図である。
【発明を実施するための形態】
【００１６】
＜実施形態＞
以下、一実施形態に係る、空気調和装置に対して情報設定を行う情報設定システムについて、図１〜図７を参照しながら説明する。
【００１７】
図１は、一実施形態に係る情報設定システム２を適用する空気調和装置１の一例を示す図である。
空気調和装置１は、1台の室外機１１と、複数台の室内機１２ａ,１２ｂ,１２ｃ,１２ｄを備えるマルチ型の空調システムであってよい。図１では例示的に室外機を１台、および室内機を４台として示しているが、室外機および室内機の数は適宜、任意の数が選択されてよい。室外機１１と室内機１２ａ,１２ｂ,１２ｃ,１２ｄは、それぞれ冷媒が通過する配管および制御信号を送受信する通信線などで接続されている。室内機１２は、それぞれ異なる容量を有してよい。室外機１１は、室内機１２に設定されたアドレス情報により各室内機を識別し、個別に運転することが可能である。なお、以下では、室内機１２ａ,１２ｂ,１２ｃ,１２ｄを総称して室内機１２と記載する場合がある。
【００１８】
室内機１２のアドレス設定は、空気調和装置１の据え付け時に、作業員等によって行われることが一般的である。この際、以下で説明する情報設定システム２を用いて室内機１２のアドレス設定を行うことが可能である。一方で、情報設定システム２は、室内機１２のアドレス情報に限らず、種々の情報を室内機１２に設定可能である。さらに、空気調和装置１の据え付け時に限られず任意のタイミングにおいて種々の情報を室内機１２に設定可能であることに留意されたい。
【００１９】
（情報設定システム２の構成）
図２は、一実施形態に係る情報設定システム２の一例を示す第１の機能ブロック図である。図３は、一実施形態に係る情報設定システム２の一例を示す第２の機能ブロック図である。図４は、一実施形態に係る情報設定システム２の一例を示す第３の機能ブロック図である。図５は、一実施形態に係る情報設定システム２の一例を示す第４の機能ブロック図である。
情報設定システム２は、室内機１２と、書き込み装置２１とを備える。
【００２０】
（室内機１２の構成）
室内機１２は、内部基板１２０を備える。内部基板１２０は、少なくとも、電源ポート１２１ｉ、通信ポート１２２ｉ、記憶部１２３、および制御装置１２４を備える。なお、電源ポートおよび通信ポートは、室内機１２および書き込み装置２１のどちらにも設けられるため、判別の容易さから室内機１２側には符号の末尾に「ｉ」をつけ、書き込み装置側には符号の末尾に「ｗ」を付けて説明する。また、図示しないが室内機１２は、一般的な室内機の機能を有してよいことに留意されたい。内部基板１２０には、例えば、電子部品で構成された制御回路が実装されていて、この制御回路が動作することで制御装置１２４の機能を実現する。
【００２１】
電源ポート１２１ｉは、書き込み装置２１の電源ポート２１１ｗと接続し、書き込み装置２１から給電を受けるためのポートである。電源ポート１２１ｉは、図３に示すように、室内機１２の通常の電源線が接続する電源ポート１２５とは個別に内部基板１２０上に設けられる態様であってもよいし、または通常の電源線が接続する電源ポートを電源ポート１２１ｉとして用いてもよい。後者の場合では、例えば図２に示すように電源ポート１２１ｉから延びる電源線は、通常の電源線に接続するものと書き込み装置２１の電源ポート２１１ｗに接続するものとに分岐するように構成されてよい。電源ポート１２１ｉは、USB(Universal Serial Bus)等の既存の規格を利用した電源ポートであってもよい。内部基板１２０は、通常の電源からの給電に加え、書き込み装置２１からの給電によっても動作可能となるように構成される。
【００２２】
通信ポート１２２ｉは、書き込み装置２１の通信ポート２１２ｗと接続し、書き込み装置２１との通信を実現するためのポートである。通信ポート１２２ｉもUSBやLAN（Local Area Network）等の既存の規格を利用した通信ポートであってよく、電源ポート１２１ｉおよび通信ポート１２２ｉは物理的に１つのポートとして実装されていてもよい。室内機１２の内部基板１２０は、通信ポート１２２ｉを介して書き込み装置２１から、アドレス情報等の設定情報を受信する。
【００２３】
記憶部１２３は、室内機１２のアドレス等の設定情報を記憶する。一実施形態において、内部基板１２０は、室内機１２の一般的な制御を行うためのメインソフトウェアを記憶するプロセッサ内蔵メモリ、および出荷時に通常書き込まれる機種情報等を記憶する不揮発性メモリを備える。記憶部は、図４に示す外部記憶部１２６のように、プロセッサに内蔵されるメモリ、および機種情報が記録される不揮発性メモリとは個別のメモリとして実装されてもよいし、またはこれらのメモリのいずれかと統合される（内蔵される）態様で実装されてもよい。アドレスを書き込む記憶部を、外部記憶部１２６のように個別のメモリとして実装すれば、製品出荷後に作業員等により誤った書き込み操作が行われたとしても、空調動作のためのより基本的なメインソフトウェアや機種情報等のデータが改ざんされたり上書きされたりすることを防止することができる。また、記憶部１２３を、プロセッサに内蔵されるメインメモリ、および機種情報が記録される不揮発性メモリのいずれかと統合する構成では、既存の構成を大きく変更せずに利用できるという利点がある。
【００２４】
制御装置１２４は、室内機１２全体の制御を司るプロセッサ（マイコン）であってよく、予め用意されたプログラムに従って動作する。制御装置１２４は、電源ポート１２１ｉおよび通信ポート１２２ｉと接続される。以下で説明するように、書き込み装置２１は、自装置の通信ポート２１２ｗ、および室内機１２の通信ポート１２２ｉを介してアドレス情報等の設定情報を室内機１２の内部基板１２０に転送する。室内機１２の制御装置１２４は、書き込み装置２１からの給電により動作し、転送された設定情報を記憶部１２３（図４の構成例では、外部記憶部１２６）に記録する。記憶部１２３や外部記憶部１２６に記録される情報が室内機のアドレス情報である場合には、室外機１１は当該アドレス情報に基づき各室内機を識別することができる。
【００２５】
（書き込み装置２１の構成）
書き込み装置２１は、電源ポート２１１ｗ、通信ポート２１２ｗ、バッテリ２１３、および書き込み部２１４を備える。書き込み装置２１は、例えばスマートフォン、タブレット型コンピュータ、またはラップトップコンピュータ等の携帯可能な端末装置であってよい。本実施形態に係る書き込み装置２１は、バッテリ２１３を有するが、書き込み装置２１は、本質的には室内機１２の制御装置１２４に給電を可能とする構成であればよい。従って、他の実施形態において書き込み装置は、バッテリを有さず外部から給電を受け、この電力を室内機１２に供給する構成であってもよい。このような構成は、例えば、室内機１２が必要とする電力を供給することができる給電設備が整っていなくても、書き込み装置２１および制御装置１２４が動作する電力を供給できる給電設備が用意されている場合に有効である。
【００２６】
電源ポート２１１ｗは、室内機１２の内部基板１２０に備えられる電源ポート１２１ｉと接続し、内部基板１２０に電力を供給するためのポートである。電源ポート２１１ｗは、電源ポート１２１ｉと同様にUSB等の既存の規格の電源ポートであってよい。書き込み装置２１は、電源ポート２１１ｗと室内機１２の電源ポート１２１ｉが接続されると、その接続を検知し、電源ポート２１１ｗを介して、バッテリ２１３から室内機１２の内部基板１２０に給電を行う。
【００２７】
通信ポート２１２ｗは、室内機１２内の内部基板１２０に備えられる通信ポート１２２ｉと接続し、書き込み装置２１と内部基板１２０との通信を実現するためのポートである。通信ポート２１２ｗも上記の通りUSBやLAN等の既存の規格を用いた通信ポートであってよく、電源ポート２１１ｗおよび通信ポート２１２ｗは、USB等のように物理的に１つのポートとして実装されてもよい。
【００２８】
書き込み部２１４は、通信ポート２１２ｗと接続される。書き込み部２１４は、室内機１２の通信ポート１２２ｉと書き込み装置２１の通信ポート２１２ｗとの接続を介して、書き込み装置２１から制御装置１２４へ設定情報を転送する。書き込み部２１４は、例えば、書き込み用ソフトウェアとして実装されてよく、従って既存の携帯端末上においても実装可能である。上記の通り、室内機１２の内部基板１２０は書き込み装置２１から給電されているため、通常運転時に用いる電源からの電力供給が室内機１２に対して行われていない場合であっても、室内機１２の制御装置１２４は転送されたアドレス情報を、室内機１２の記憶部１２３に記録することができる。
【００２９】
どのような設定情報が、どのように書き込み装置２１に設定されるかについては種々の態様が存在する。例えば、設定情報は、書き込み装置２１の記憶部(図示せず)に予め記録されていてもよいし、または書き込み装置２１の入力手段（例えば、キーボード等）を介してユーザにより入力されてもよい。また、書き込み装置２１において設定情報を自動的に生成することも可能である。例えば、以前に他の室内機に設定したアドレス情報とは異なるアドレス情報を規則的に生成することや、書き込み装置の位置情報等に基づきアドレス情報を自動的に生成することも可能である。
【００３０】
設定情報の転送のタイミングについて、書き込み部２１４は、電源ポート１２１ｉおよび電源ポート２１１ｗが接続し、通信ポート１２２ｉおよび通信ポート２１２ｗが接続した後に、所定の条件をトリガとして、設定情報を室内機１２内の内部基板１２０に転送してよい。所定の条件とは、例えば、ユーザによる書き込み装置２１への入力（例えば、アドレス情報の入力、転送指示の入力等）であってよい。また、書き込み装置２１が設定情報を予め取得している場合には、書き込み部２１４は、室内機１２の電源ポート１２１ｉと書き込み装置２１の電源ポート２１１ｗとが接続されたこと、および室内機１２の通信ポート１２２ｉと書き込み装置２１の通信ポート２１２ｗとが接続したことに応答して、自動的に室内機１２内の内部基板１２０に転送してもよい。
【００３１】
なお、電源ポート１２１ｉおよび電源ポート２１１ｗの間で接続インタフェースが異なる場合には、図５に示すように、電源ポート１２１ｉおよび電源ポート２１１ｗの間に、例えば変換コネクタ等の中間コネクタ１３１Ｃを介して両者の接続を実現してもよい。通信ポート１２２ｉおよび通信ポート２１２ｗの間で接続インタフェースが異なる場合には、同様に通信ポート１２２ｉおよび通信ポート２１２ｗの間の接続を中間コネクタ１３２Ｃを介して行うことができる。中間コネクタ１３１Ｃ，１３２Ｃは、室内機１２および書き込み装置２１とは独立した構成要素として情報設定システム２内で提供されることも可能であり、または室内機１２もしくは書き込み装置２１に備えられてもよい。
【００３２】
（情報設定を行うための処理フロー）
次に図１〜図５に例示する構成を前提として、室内機１２に対するアドレス情報の設定処理の流れについて説明する。
図６は、一実施形態における空気調和装置に対して情報設定を行う処理フローの一例を示す図である。当該処理フローでは、室内機１２に対してアドレス情報を設定する場合を説明するが、室内機１２にどのような設定情報を設定するかは任意に選択可能であることに留意されたい。
【００３３】
室内機１２のアドレス設定は、室内機１２を据え付ける際に行われることが一般的であり、この時点では給電設備が備わっていない場合がある。一実施形態における室内機１２に対するアドレス設定方法は、下記の通り室内機１２が通常運転時に用いる電源からの電力供給を受けることなしに、書き込み装置２１からの給電によってアドレス設定を行う。
【００３４】
まず、作業員等のユーザは、書き込み装置２１を携帯し、書き込み装置２１の電源ポート２１１ｗと、対象の室内機１２の電源ポート１２１ｉとを有線で接続するとともに、書き込み装置２１の通信ポート２１２ｗと室内機１２の通信ポート１２２ｉとを有線により接続する。
【００３５】
電源ポートおよび通信ポートは、物理的に統合された１つのポートとして実施されてもよく、この場合ユーザは、室内機および書き込み装置間の実質的に１つの接続を行えばよい。例えば、電源ポートおよび通信ポートが１つのUSBポートの場合、１本のUSBケーブルを通じて給電とアドレス情報の転送を行う。また、本実施形態では接続は有線により行われるが、他の実施形態では室内機１２の内部基板１２０と書き込み装置２１との間の電力供給と通信が可能であることを条件として、電源ポート間の接続および通信ポート間の接続の両方を無線による接続とすることが可能であり、どちらか一方が有線であり、他方が無線である接続も可能である。例えば、無線通信によってアドレス情報を転送し、ワイヤレス給電によって書き込み装置２１から室内機１２へ給電してもよい。
【００３６】
ユーザによるポート間の接続が完了すると、Ｓ１０１にて、書き込み装置２１は、室内機１２の電源ポート１２１ｉと書き込み装置２１の電源ポート２１１ｗとの接続を検出して、書き込み装置２１内のバッテリ２１３から室内機１２内の制御装置１２４へ給電を開始する。室内機１２の内部基板１２０は、書き込み装置２１からの給電によって動作可能となる。
【００３７】
次にＳ１０２にて、書き込み装置２１（書き込み部２１４）は、室内機１２の通信ポート１２２ｉと書き込み装置２１の通信ポート２１２ｗとの接続を介して、書き込み装置２１から前記室内機１２内の制御装置１２４へアドレス情報を転送する。
【００３８】
次にＳ１０３にて、室内機１２内の制御装置１２４は、転送されたアドレス情報を受信し、当該アドレス情報を室内機１２内の記憶部１２３（図４に例示する構成の場合は、外部記憶部１２６）に記録する。室内機１２に記録されたアドレス情報により室外機１１は、各室内機を識別可能となる。これにより、室外機１１は、各室内機１２ａ，１２ｂ，１２ｃ，１２ｄに対して個別の制御を行うことができる。
【００３９】
（作用・効果）
以上、一実施形態に係る情報設定システム２によれば、室内機１２に対する給電設備が整備されておらず、電力の供給ができない場合でも、書き込み装置２１からの給電により、室内機１２に対して設定情報の設定が可能である。これにより、室内機１２の据え付け作業の効率を向上することができる。また、室内機１２の基板には、元々電源ポートおよび通信ポートを備えている場合が多く、既存の構成を利用することで、室内機１２の基板を大きく変更する必要がないという利点がある。また、基板上にスイッチ等を設ける必要が無いのでコストを低減し、内部基板１２０の大型化を防止することができる。
【００４０】
図７は、一実施形態における書き込み装置のハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の書き込み装置２１は、コンピュータ９００に実装される。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００４１】
なお、書き込み装置２１の全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行してもよい。また、上記プログラムは、前述した機能の一部を実現するためのものであっても良く、さらに前述した機能をコンピュータシステムにすでに記録されているプログラムとの組み合わせで実現できるものであってもよい。なお、書き込み装置２１は、複数のコンピュータ９００によって構成されていてもよい。
【００４２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれる。
例えば、室外機１１に対して設定情報を書き込む場面でも、書き込み装置２１から電源ポート２１１ｗを介して室外機１１の制御装置（図示せず）に給電し、制御装置を起動し、通信ポート２１２ｗを介して当該制御装置へ設定情報を転送し、転送した設定情報を記憶するように構成してもよい。
【符号の説明】
【００４３】
１・・・空気調和装置
２・・・情報設定システム
１１・・・室外機
１２、１２ａ、１２ｂ、１２ｃ、１２ｄ・・・室内機
１２０・・・内部基板
１２１ｉ・・・電源ポート
１２２ｉ・・・通信ポート
１２３・・・記憶部
１２４・・・制御装置
２１・・・書き込み装置
２１１ｗ・・・電源ポート
２１２ｗ・・・通信ポート
２１３・・・バッテリ
２１４・・・書き込み部
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020051688.tif 000003
【図２】
2020051688.tif 000004
【図３】
2020051688.tif 000005
【図４】
2020051688.tif 000006
【図５】
2020051688.tif 000007
【図６】
2020051688.tif 000008
【図７】
2020051688.tif 000009